(57)【要約】【課題】施工性、意匠性、省スペース性のいずれも確保できる浴室ユニットの天井取付構造を提供する。【解決手段】天井パネル取付具は、挿入ガイド片を上面より突出させ、下面に第一の連結部を突出形成した、天井パネルの側端を嵌入するための溝部を形成するとともに、壁パネルの上端には天井パネル取付具に形成された第一の連結部に対応した第二の連結部を形成し、第一の連結部と上記第二の連結部とは相互に圧入される結合部を設けた構造にしている。【選択図】図１
2006037473.tif 000002
【特許請求の範囲】
【請求項１】
天井パネル取付具を用いて、天井パネルを壁面パネルに連結するユニットルームの天井取付構造において、
天井パネル取付具は、挿入ガイド片を上面より突出させ、下面に第一の連結部を突出形成した、天井パネルの側端を嵌入するための溝部を形成するとともに、上記壁パネルの上端裏面側に形成された凹段部には、天井パネル取付具に形成された上記第一の連結部に対応した第二の連結部を形成し、上記第一の連結部と上記第二の連結部とは相互に圧入される結合部を設けた構造にしているユニットルームの天井取付構造。
【請求項２】
請求項１において、
上記天井パネル取付具の第一の連結部に設けた結合部と、上記壁パネルに形成された第二の連結部に設けた結合部とは、いずれか一方が小突起で構成され、他方が小突起を圧入させる結合穴で構成されている、ユニットルームの天井取付構造。
【請求項３】
請求項１、２において、
上記天井パネル取付具の溝部の上面には、溝部の下面に突出形成されている第一の連結部に応じた、上方が開口した積み上げ収容溝を形成している、ユニットルームの天井取付構造。
【請求項４】
請求項２において、
上記結合穴には抜け止め歯が内設され、かつ上記小突起には抜け止め段部が対応して形成されている、ユニットルームの天井取付構造。
【発明の詳細な説明】
【技術分野】
【０００１】
本発明は、浴室ユニットなどに適用される、ユニットルームの天井取付構造の改良に関する。
【背景技術】
【０００２】
従来より、浴室ユニットなどにおいては、床パンの四辺の外周に壁パネルを立設し、壁パネルの上端に天井パネルを取り付ける構造にしたものが公知である。このような構造では、天井パネルの側端とパネルの上端とを連結する結合部材を用いて連結固定している。
【０００３】
図６は、従来のユニットルームの天井取付構造を示した図である。１００は天井パネル、２００は壁パネル、３００は天井パネル１００の側端に設けられた天井パネル取付具、４００は壁パネル２００の上端に設けられた壁パネル取付具、５００は天井パネル取付具３００と壁パネル取付具４００とをねじ止めにより結合させるねじ、６００は天井廻し縁である。
【０００４】
このような構造のものでは、天井パネル取付具３００と壁パネル取付具４００とを、ねじ５００により結合させ、天井パネル１００と壁パネル２００とが結合し、天井パネル１００と壁パネル２００との間には天井廻し縁（パッキンのようなもの）６００を、空間Ａにはめこむ。
【特許文献１】特開２００１−２０４４４号公報
【発明の開示】
【発明が解決しようとする課題】
【０００５】
しかしながら、このような天井取付構造では、一坪あたりの広さに対して、多数のねじ止めが必要であり、作業が面倒であった。また、天井廻し縁の存在により意匠性を損なっており、更に、ねじを外周に向かって取り付けるため、壁面パネルの内寸から相当な飛出寸法が必要となり、省スペース化という観点でも問題があった。
【０００６】
本発明は、上記事情を考慮してなされたものであり、施工性、意匠性、省スペース性のいずれも確保できるユニットルームの天井取付構造を提供することを目的とする。
【課題を解決するための手段】
【０００７】
上記目的を達成するため、本発明の請求項１では、天井パネル取付具は、挿入ガイド片を上面より突出させ、下面に第一の連結部を突出形成した、天井パネルの側端を嵌入するための溝部を形成するとともに、壁パネルの上端裏面側に形成された凹段部には、天井パネル取付具に形成された第一の連結部に対応した第二の連結部を形成し、第一の連結部と第二の連結部とは相互に圧入される結合部を設けた構造にしている。
【０００８】
請求項２では、天井パネル取付具の第一の連結部に設けた結合部と、壁パネルに形成された第二の連結部に設けた結合部とは、いずれか一方が小突起で構成され、他方が小突起を圧入させる結合穴で構成されている。
【０００９】
請求項３では、天井パネル取付具の溝部の上面には、溝部の下面に突出形成されている第一の連結部に応じた、上方が開口した積み上げ収容溝を形成している。
【００１０】
請求項４では、結合穴には抜け止め歯が内設され、かつ小突起には抜け止め段部が対応して形成されている。
【発明の効果】
【００１１】
請求項１によれば、挿入ガイド片をガイドとして、天井パネル取付具の溝部に対して天井パネルの側端を嵌入するだけで、天井パネルに天井パネル取付部を容易に取り付けることができ、このようにして天井パネル取付具を天井パネルに取り付けた後は、天井パネル取付具の下面に形成した第一の連結部を、壁パネルの上端に形成した第二の連結部に相互に圧入するだけで、天井パネルと壁パネルとを容易に連結することが出来る。
【００１２】
また、壁パネルの上端裏面側に形成した凹段部で連結しているので、壁パネルと天井パネルとの間に発生する隙間を小さくすることができ、シール材などで確実にシールすることができるとともに、見栄えがよい。
【００１３】
請求項２では、天井パネルを壁パネルに取り付けるに際して、容易に連結部同士を連結させることができる。
【００１４】
請求項３では、天井パネルに天井パネル取付具を取りつけた状態で多段状態に積み上げて保管したり、運搬することが出来る。従って、ユニットルームの施工時などに、天井パネルの保管場所を広く確保する必要がなく、例えば、狭いユニットバスにおいて特に有効である。
【００１５】
請求項４では、天井パネルを壁パネルに取り付けた際、強固な圧入連結が可能となる。
【発明を実施するための最良の形態】
【００１６】
以下、図とともに本発明の実施の形態について説明する。本発明は浴室ユニット、シャワールームなどにおいて適用される。
【実施例１】
【００１７】
図１（ａ）は本発明の天井取付構造の一例を示す要部の縦断面図である。また、図１（ｂ）は天井パネル取付具３の第一の連結部３０と、壁パネル２の第二の連結部４０との結合箇所付近を示す断面図である。
【００１８】
ここで、天井パネル１は鋼板を折曲加工したものや、所定の寸法形状に成形された合成樹脂板の裏面に、石膏ボード、グラスウールボード等でなる断熱材等（不図示）を貼着して構成されている。
【００１９】
一方の壁パネル２は、補強、断熱のためのセメント、セラミックの基材等に、鋼、アルミニウム等の金属板を表面処理したり、天然、人造石等で構成された化粧板を貼付け、その裏面にバックフレームを取付けるなどして形成されている。  ここに、天井パネル取付具３は、天井パネル１の側端１１を取り付けるための溝部３３が形成されており、この溝部３３には天井パネル１の側端１１が挿入されるが、天井パネル取付具３の上面には、くの字形に屈曲形成された挿入ガイド片３２が突出されているので、天井パネル１の側端１１は天井パネル取付具３の溝部３３内にスムーズに挿入させることが出来る。また、溝部３３の下面には、第１の連結部３０が突出形成されており、この第１の連結部３０には結合穴３０ａが結合部として形成されている。なお、結合穴３０ａには、小突起４０ａの抜け止め段部４０ｂの各々に対応し、抜け止め段部４０ｂとかみ合う抜け止め歯３０ｂ・・・を複数内設するようにしてもよい。
【００２０】
一方の壁パネル２の上端には、パネルの基材２と同じ厚みで、かつ天井パネル取付具１の溝部３３の下面に突出形成した第１の連結部３０に対応させた凹段部４１を形成した取付枠４を組付け、その取付枠４の凹段部４１に、複数の抜け止め段部４０ｂを形成した小突起４０ａを結合部として立設させて第二の連結部４０を形成している。
【００２１】
したがって、このような構造によれば、天井パネル１の側端１１を、天井パネル取付具３の溝部３３に嵌入して取付けた後に、天井パネル取付具３の溝部３３の下面に突出形成した第１の連結部３０が、壁パネル２の上端に設けた第２の連結部４０の凹段部４１に載るようにして、天井パネル３を壁パネル２側に押し付ければ、天井パネル取付具３の溝部の下面に設けた結合穴３０ａに、壁パネル２の取付枠４の凹段部４１に形成した小突起４０ａが圧入されるので、両者はネジ止めしなくても強固に結合される。
【００２２】
なお、図例の本実施形態では、天井パネル取付具３の溝部３３の下面に結合穴３０ａを結合部として形成して第１の連結部３０とし、壁パネル２の取付枠４の凹段部４１に小突起４０ａを結合部として形成して第２の連結部４０としたが、第１の連結部３０に小突起を形成し、第２の連結部４０に結合穴を設けた構成にしてもよい。これらの第一、第二の連結部は、ネジなどの取付具を用いずに、圧入して結合できる関係であればよい。
【００２３】
また、５はシール材である。このシール材５は、壁パネル２の上端と天井パネル１の側端１１との空隙に挿入され、止水材として機能する。１０は天井パネル１の内面に取り付けられた化粧板、２０は壁パネル２の内面に取り付けられた化粧板である。
【００２４】
本発明では、このような天井パネル取付具と、壁面パネルとを使用することによって、天井パネル１と壁パネル２を、ネジ止めしなくて、圧入連結することができるので施工性が向上する。また、従来のような天井廻し縁も不要となり意匠性が向上する。更に、ねじが不要なので、壁パネル２の内寸からの飛び出し寸法ａ’が小さくなり、省スペース化も確保できる。
【００２５】
ここで、３１ａ，３１ｂの各々は、積み上げ収容溝３１を形成する立壁を示す。積み上げ収容溝３１の機能は後述する。
【００２６】
図２（ａ）は、図１に示した天井パネル取付具、壁面パネルの構造を、より詳細に説明するために、天井パネル取付具を用いて、天井パネルと壁面パネルとを連結したユニットルームのコーナ部Ｃを上面より見た平面図を示している。また、図２（ｂ）は、天井パネルを取り付ける前の壁パネルを上面より見た図を示している。
【００２７】
さらに、図３（ａ），（ｂ）はそれぞれ、図２（ａ），（ｂ）に示した部分に対応する斜視図である。
【００２８】
なお、図２（ｂ）において、壁面パネルのコーナ部Ｃは、壁パネル２の裏面に取り付けられたバックフレーム２１，２１同士をコーナジョイナ６で連結している。このようなコーナジョイナ６は公知のものであるので、説明を省略する。
【００２９】
図２（ａ）に示した天井パネル取付具３は、コーナ部における突合せ部分が、天井パネル１の対角線に沿うように形成した斜め切断面３３を形成しているが、それぞれの接合端を直線状の切断面に形成して、突合せ接合させるものであってもよい。
【００３０】
このような切断面３３を突き合わせて接合したものでは、２枚の天井パネル取付具３が天井パネル１に対して不用意に移動してしまうことが未然に防止できる。
【００３１】
図４は、天井パネルの運搬時や、ユニットルームの施工時などに、天井パネル１に天井パネル取付具３を取付けた状態で積み上げて保管する場合の状態を示している。
【００３２】
天井パネル取付具は、溝部３３の上面には、２本の立壁３１ａ，３１ｂを、溝部３３の第一の連結部３０の幅寸法に応じた広がりをもって形成した積み上げ収容溝３１を形成しているので、他の天井パネル取付具３の溝部３３の下面に形成した第一の連結部３０を収容することができ、従って、図４に示したように、天井パネル１を取りつけた天井パネル取付具３の第一の連結部３０を、他の天井パネル１を取り付けた天井パネル取付具３の積み上げ溝３１に順次はめ込み積み上げて、天井パネル１に天井パネル取付具３を装着した状態で多段状態に積み上げ保持することができるので、天井パネル１がばらばらになる心配がない。
【００３３】
天井パネル１を運搬する場合や、施工現場で複数保管しておく必要がある場合に、このような使用方法を行うことで、天井パネル１を整然として保管でき、作業場所の確保と施工面での利点がある。
【図面の簡単な説明】
【００３４】
【図１】本発明の天井取付構造の一例を示す断面図である。
【図２】図２（ａ）は、天井パネル１壁パネルに取り付けた場合に、そのコーナ部を上面より見た図であり、図２（ｂ）は、天井パネルを取り付ける前の壁パネルの上面より見た図である。
【図３】図３（ａ），（ｂ）はそれぞれ、図２（ａ），（ｂ）の平面図に対応する斜視図である。
【図４】天井パネルの運搬時や、ユニットルームの施工時などに、天井パネルに天井パネル取付具を取付けた状態で積み上げて保管する場合の状態を示す図である。
【図５】従来の天井取付構造を示す断面図である。
【符号の説明】
【００３５】
１  天井パネル
２  壁パネル
３  天井パネル取付具
４  取付枠
３０  第一の連結部
３０ａ  結合部（結合穴）
３０ｂ  抜け止め歯
３１  積み上げ収容溝
３２  挿入ガイド片
３３  溝部
４０  第二の連結部
４０ａ  結合部（小突起）
４０ｂ  抜け止め段部
【図１】
2006037473.tif 000003
【図２】
2006037473.tif 000004
【図３】
2006037473.tif 000005
【図４】
2006037473.tif 000006
【図５】
2006037473.tif 000007